(57)【要約】【課題】  犯罪抑止力を向上でき、侵入者を捕らえた画像を探す手間がない監視装置を提供することである。【解決手段】  監視カメラ１と、人体を検知するセンサ手段２と、センサ手段２が人体を検知すると監視カメラ１を作動させて画像を撮影する制御部５とを備えた監視装置において、人体検知時に監視カメラ１で撮影中の画像を表示するモニタ３を設けたことで、侵入者へタイムリーな警告を与えることができ、監視装置の犯罪抑止力が飛躍的に向上する。【選択図】      図１
2007183845.tif 000002
【特許請求の範囲】
【請求項１】
監視場所に設置される監視カメラと、人体を検知するセンサ手段と、モニタとを備え、センサ手段が人体を検知すると監視カメラを作動させて監視場所を撮影するとともに、監視カメラで撮影中の画像をモニタに表示させることを特徴とする監視装置。
【請求項２】
モニタに監視カメラで撮影中の画像とともに任意の文字を表示させることを特徴とする請求項１に記載の監視装置。
【請求項３】
音声出力手段を備え、人体検知時に任意の音声を出力させることを特徴とする請求項１または２に記載の監視装置。
【請求項４】
監視カメラとモニタは同一の筐体に収納されてなることを特徴とする請求項１から３のいずれかに記載の監視装置。
【請求項５】
監視カメラが撮影した画像を記憶する記憶手段を設けたことを特徴とする請求項１から４のいずれかに記載の監視装置。
【請求項６】
通信手段と、該通信手段を介して監視カメラが撮影した画像データを受け取ると該画像を含む情報を外部携帯端末あるいは外部端末に送信するサーバとを備えたことを特徴とする請求項１から５のいずれかに記載の監視装置。
【発明の詳細な説明】
【技術分野】
【０００１】
本発明は、家屋等の監視装置に関し、特に、家屋等のセキュリティに適する監視装置の改良に関する。
【背景技術】
【０００２】
監視装置の中でも、特に、防犯に適する監視装置にあっては、たとえば、監視カメラと監視カメラで撮影した画像を表示するモニタとを備えたものが知られている。
【０００３】
この監視装置では、上記したように監視カメラで撮影した画像をモニタに表示することにより、家屋等に不法に侵入した侵入者に監視カメラを強く意識させるとともに、画像をモニタに表示させることによって該監視カメラが偽装ではなく撮影が可能であることと侵入者の行為が撮影されていることを侵入者に認識させ、侵入者に窃盗等の犯罪を断念させる効果を狙っている（たとえば、特許文献１参照）。
【特許文献１】特開平８−９８０６７号公報（図１）
【発明の開示】
【発明が解決しようとする課題】
【０００４】
上記したように、従来監視装置では、モニタに監視カメラの撮影画像を表示させるので犯罪抑制に効果がある点で有用であるが、以下の不具合がある。
【０００５】
すなわち、従来の監視装置における監視カメラは、監視場所を常時撮影してモニタに表示しているので、侵入者があらかじめ監視カメラの存在に気づいている場合、モニタの表示を確認することによって監視カメラの死角までもが察知されてしまい、結局、監視装置が犯罪抑止力とならない場合がある。
【０００６】
そこで、本発明は上記不具合を改善する為に創案されたものであって、その目的とするところは、犯罪抑止力を向上できる監視装置を提供することである。
【課題を解決するための手段】
【０００７】
本発明の課題解決手段は、監視場所に設置される監視カメラと、人体を検知するセンサ手段と、モニタとを備え、センサ手段が人体を検知すると監視カメラを作動させて監視場所を撮影するとともに、監視カメラで撮影中の画像をモニタに表示させるようにした。
【発明の効果】
【０００８】
本発明の監視装置によれば、センサ手段が侵入者の監視場所への侵入に対しこれを検出し、監視カメラで監視場所の撮影を行うとともに、モニタに監視場所の画像を表示させるので、侵入者が監視装置の存在に気づくとともに、モニタの画像表示によって侵入者は自分が撮影されていること強く認識することになる。
【０００９】
そして、突然に上記監視装置の存在と自分の撮影されているという現実を認識させられるので、侵入者へタイムリーな警告を与えることができ、窃盗を未然に防止し得ることになり、監視装置の犯罪抑止力が飛躍的に向上する。
【発明を実施するための最良の形態】
【００１０】
以下、図に示した実施の形態に基づき、本発明を説明する。図１は、一実施の形態における監視装置の正面外観斜視図である。図２は、一実施の形態における監視装置のシステム構成を示す図である。図３は、一実施の形態における監視装置の人体検知信号入力時の作動を示すフローチャートである。
【００１１】
図１に示すように、一実施の形態における監視装置は、一つの筐体４内に収容される監視カメラ１と、人体を検知するセンサ手段２と、モニタ３とを備えて構成されている。
【００１２】
そして、この筐体４内には、図２に示すように、センサ手段２の人体検知信号を受け取ると監視カメラ１を作動させて画像を撮影するとともに、撮影した画像をモニタ３に表示させる制御部５が収納されている。
【００１３】
また、この制御部５は、インターネット等の通信手段６を介して画像情報を含む情報をサーバ７に送信するようになっている。なお、画像については広義に解釈しており、画像には、静止画像の他、動画も含まれる。
【００１４】
以下、詳細に説明すると、筐体４は、監視カメラ１、センサ手段２、モニタ３および制御部５を収容することが可能であれば、どのような形状とされてもよいが、家屋等の壁等への設置に向くよう、薄い箱型とされ、壁等に設置されても、省スペースで邪魔とならないようになっている。
【００１５】
監視カメラ１は、ＣＣＤ（電荷結合素子、図示せず）とレンズ（図示せず）を備えており、ＣＣＤカメラとして構成され、筐体４を壁等に取り付けることで家屋等の監視場所を撮影可能なように、筐体４の正面に設置されている。また、センサ手段２は、人体を検知することが可能であればよく、具体的にはたとえば、赤外線センサとされ、監視場所への侵入者の有無をセンシングすることが可能なように筐体４の正面に設置されている。
【００１６】
なお、監視装置のユーザは、監視装置に外部端末１０から通信手段６を介して直接アクセスするか、後述のサーバ７を介してアクセスして、監視カメラ１を遠隔操作でズームやパンニング動作させることができるようになっている。なお、外部端末１０は、監視装置外で設置あるいは携帯される端末あるいは携帯端末とされ、具体的には、通信が可能であってサーバ７から電子メールを受け取ることが可能な端末であればよい。
【００１７】
そして、センサ手段２が赤外線センサである場合は、監視場所に侵入者がある場合には、これを検知して出力電圧を変化させるが、この変化後の電圧信号が人体検知信号とされる。
【００１８】
モニタ３は、画像の表示に適していればよいが、家屋等の壁等に筐体４を設置可能とすることを念頭とすれば薄型のものが適しており、具体的にはたとえば、ＬＣＤ（Ｌｉｑｕｉｄ  Ｃｒｙｓｔａｌ  Ｄｉｓｐｌａｙ）、エレクトロルミネッセンス等を利用することができる。
【００１９】
制御部５は、図２に示すように、監視カメラ１が出力するアナログの画像信号をデジタル信号に、センサ手段２が出力するアナログの電圧信号をデジタル信号にそれぞれ変換するＡ／Ｄ変換器５１，５２と、変換された画像信号を取り込んで画像情報を圧縮する圧縮回路５３を備えるとともに監視装置における制御手順を処理する主制御部５４と、上記制御手順が格納されるフラッシュロム（Ｆｌａｓｈ  Ｒｏｍ）および主制御部５４に記憶領域を提供するＲＡＭ（Ｒａｎｄｏｍ  Ａｃｃｅｓｓ  Ｍｅｍｏｒｙ）等の記憶装置５５と、通信手段６との情報授受を可能とする通信インターフェース５６と、モニタ３を制御するグラフィックコントローラ５７とを備えて構成されている。
【００２０】
なお、通信手段６は、図２中では、インターネットとされているが、情報通信が可能であればよいので、インターネットに限らず、有線、無線や携帯電話通信網等とされてもよい。
【００２１】
そして、この制御部５は、基本的には、センサ手段２から人体検知信号が入力されると、監視カメラ１を作動させて監視場所を撮影し、撮影された画像をモニタ３に一定時間経過毎の静止画像としてあるいはリアルタイムで表示させるとともに、この監視場所の画像を圧縮回路５４で圧縮し、圧縮された画像情報を自己の認識ＩＤとともに、通信インターフェース５６から通信手段６を介してサーバ７に向けて送信するようになっている。
【００２２】
したがって、たとえば、センサ手段２が侵入者の監視場所への侵入に対しこれを検出し、人体検知信号が制御部５に入力されると、監視カメラ１の監視場所の撮影とともにモニタ３に監視場所の画像を表示させるので、侵入者が監視装置の存在に気づくとともに、モニタ３の画像表示によって侵入者は自分が撮影されていること強く認識することになる。
【００２３】
そして、突然に上記監視装置の存在と自分の撮影されているという現実を認識させられるので、侵入者へタイムリーな警告を与えることができ、窃盗を未然に防止し得ることになり、監視装置の犯罪抑止力が飛躍的に向上する。
【００２４】
さらに、監視カメラ１による撮影は、人体検知がないときには行われないので、待機時の消費電力を従来監視装置より少なくすることが可能であり、省電力に優れる。
【００２５】
また、監視カメラ１による撮影は、人体検知がないときには行われないので、不必要な画像情報を記憶装置５５に格納するようなことがなく、記憶装置５５を大容量としたり、別途画像情報格納用の記憶装置を設置したりしなくともすむことから、監視装置を安価、軽量なものとすることができ、実用性が向上する。
【００２６】
なお、モニタ３に監視カメラ１で撮影中の画像を表示させる際に、これとともに、任意の文字を表示させるようにしてもよい。任意の文字としては、たとえば、「録画中」、「画像送信済」であるとか、「警備会社へ通報しました」等の、侵入者に自分が撮影されたことを強く認識させる文字情報や、侵入者が監視場所からいち早く退避しなくてはならないと思う心理状況とさせるような文字情報としておくとより一層効果的に犯罪を未然に抑制することができる。
【００２７】
さらに、この監視装置に制御部５によって制御されるスピーカを設けて、上記文字情報と同様の内容を音声出力させるようにしてもよく、この場合にも、モニタ３に任意の文字を表示させるのと同様の効果を得ることができる。なお、上記スピーカや他の警報装置等を制御部５からの制御信号によって作動させる場合、予め筐体４の側部等に制御部５からの制御信号を外部へ取り出し可能なように出力端子を設置しておけば、この上記スピーカ等の制御部５への接続が簡単となり便利である。
【００２８】
他方、サーバ７は、筐体４外に設けられており、通信手段６との情報授受を可能とする通信インターフェース７１と、制御部５から伝達される認識ＩＤに基づいてユーザデータベース７２を参照してユーザおよび監視場所を特定する特定部７３と、電子メールを作成するメール作成部７４と、制御部５から伝達される情報を処理する情報処理部７５と、画像情報が格納される画像データベース７６とを備えて構成されている。
【００２９】
このサーバ７にあっては、上述のように制御部５から認識ＩＤと画像情報とを受け取ると、特定部７３が認識ＩＤをもとにユーザデータベース７２を参照して監視装置のユーザおよび監視場所を特定し、情報処理部７５は、画像情報を画像データベース７６に記憶させ、メール作成部７４は、ユーザデータベース７２にあらかじめ登録されているユーザの外部端末１０のメールアドレスを宛先とするとともに、侵入者を検知した旨のメールを作成し、監視カメラ１で撮影した画像情報を添付して、上記メールアドレスに向けて電子メールを送信する。したがって、サーバ７は、１つで複数のユーザの複数の監視場所に設置した監視カメラ１の画像を処理し、複数のユーザから人体を検知した監視装置のユーザを特定して電子メールを該特定されたユーザ宛に送信することが可能である。
【００３０】
なお、メール作成部７４は、ユーザが電子メールを受け取る外部端末１０に合致するように画像情報のフォーマットを変換可能であるとともに、通信インターフェース７１は、上記ユーザが電子メールを受け取る外部端末１０に合致するように通信プロトコルを適宜変換することが可能なようになっている。また、サーバ７がメールを送信する場合に、電話サービスサーバを一旦介してもよい。
【００３１】
そして、上記サーバ７の構成のうち、通信インターフェース７１以外の構成は、ＣＰＵ（Ｃｅｎｔｒａｌ  Ｐｒｏｓｓｅｓｉｎｇ  Ｕｎｉｔ）等の演算処理装置が所定のプログラムを実行することで実現することができる。具体的には、サーバ７は、たとえば、ハードウェアとしては図示しないが、ＣＰＵ等の演算処理装置と、上記演算処理装置に記憶領域を提供するＲＡＭ（Ｒａｎｄｏｍ  Ａｃｃｅｓｓ  Ｍｅｍｏｒｙ）等の主記憶装置部と、制御部５から伝達される情報の処理、ユーザの特定や、電子メールを作成する処理等の手順が格納される副記憶装置を備えて構成されればよい。
【００３２】
したがって、監視装置のユーザは、たとえば、自宅などの監視場所に侵入者が侵入した場合、自身があらかじめ指定してある外部端末１０でタイムリーに侵入者があった旨とその画像を取得することが可能であり、ユーザ自身による警察や警備会社への迅速な通報が可能となる。
【００３３】
さらに、監視場所に設置してある監視カメラ１や制御部５等が侵入者によって破壊されてしまったとしても、侵入者を特定可能な画像は、サーバ７と外部端末１０に保存されるから侵入者の特定が不能となってしまう事態を回避することが可能である。
【００３４】
また、人体検知時に撮影を行うことから、画像データベース７６に格納された画像は侵入者を捉えている画像であるので、長時間にわたって撮影された画像から侵入者を捉えている画像を探さなくてはならないといった手間がない。なお、上記監視カメラ１が撮影した画像をサーバ７へ送信した後も、監視装置内の記憶装置５５に記憶させておく場合にも、同様に、長時間にわたって撮影された画像から侵入者を捉えている画像を探さなくてはならないといった手間がない。したがって、本実施の携帯における画像を記憶する記憶手段は、上記した記憶装置５５およびサーバ７を構成する副記憶装置の一方あるいは両方とされる。
【００３５】
また、この実施の形態においては、サーバ７に電子メールを作成させてユーザの外部端末１０に電子メールを送信するようにしているが、これに代えて、あるいは、これに加えて、ユーザの外部端末１０が携帯電話である場合には、直接的に制御部５から該携帯電話に電話してユーザに音声によって人体検知した旨を伝達するようにしてもよい。
【００３６】
このように構成された監視装置の動作について、図３に示したフローチャートに即して説明する。
【００３７】
ステップ１００では、監視装置は、センサ手段２からの人体検知信号が入力されているか否かを判断し、人体検知信号の入力がある場合には、ステップ１０１へ移行し、人体検知信号の入力がない場合、繰り返し人体検知信号の入力の有無を判断し続ける。
【００３８】
つづいて、ステップ１０１では、制御部５は監視カメラ１を駆動して監視場所を撮影して、モニタ３に監視カメラ１で撮影中である画像を表示する。また、監視カメラ１で撮影された所定時間間隔毎の画像情報を順次圧縮回路５３で圧縮し、一旦記憶装置５５に格納する。
【００３９】
そして、ステップ１０２では、制御部５は、上記圧縮された画像情報を順次識別ＩＤとともに通信インターフェース５６からサーバ７へ送信する。
【００４０】
つづいて、ステップ１０３に移行し、制御部５は、人体検知信号の入力が解消されているか否かを判断し、人体検知信号の入力がある場合には、ステップ１０１へ戻って監視カメラ１の撮影、モニタ３への表示を継続し、サーバ７へ画像を送信続ける。他方、人体検知信号の入力が解消されると、この処理を終了する。
【００４１】
この監視装置では、上記したステップ１００からステップ１０３までの処理を繰り返し行い、常に監視場所の人体検知を行い、監視場所を監視し続ける。
【００４２】
監視場所における処理は以上の通りであるが、他方、サーバ７は、ステップ１０２で制御部５からの情報を受信すると、特定部７３でユーザの特定を行い、メール作成部７４がユーザの外部端末１０宛に、侵入者があった旨のテキストおよび画像情報を送信する。なお、この電子メールのテキスト中に、侵入者を検知した時間の情報を入れておくとしてもよい。
【００４３】
なお、上記した制御処理手順は、一例であるので、監視装置の仕様等によって最適となるようにこれを変更することが可能である。
【００４４】
以上で、本発明の実施の形態についての説明を終えるが、本発明の範囲は図示されまたは説明された詳細そのものには限定されないことは勿論である。
【図面の簡単な説明】
【００４５】
【図１】一実施の形態における監視装置の正面外観図である。
【図２】一実施の形態における監視装置のシステム構成を示す図である。
【図３】一実施の形態における監視装置の人体検知信号入力時の作動を示すフローチャートである。
【符号の説明】
【００４６】
１  監視カメラ
２  センサ手段
３  モニタ
４  筐体
５  制御部
６  通信手段
７  サーバ
１０  外部端末
５１，５２  Ａ／Ｄ変換器
５３  圧縮回路
５４  主制御部
５５  記憶装置
５６  通信インターフェース
５７  グラフィックコントローラ
７１  通信インターフェース
７２  ユーザデータベース
７３  特定部
７４  メール作成部
７５  情報処理部
７６  画像データベース
【図１】
2007183845.tif 000003
【図２】
2007183845.tif 000004
【図３】
2007183845.tif 000005